(57)【要約】【課題】屋根や、壁に取り付けて自然風の取り入れ口として用いられる給気フードにおいて、流入開口部への雨の進入を防止するために、集風フードが流入開口部全体を覆った状態の時、雨水が流入開口部へ浸入することを防止でき、かつ、自然風が流入開口部へ流入できる通気開口があり、雨天時の室内への雨水の浸入を防止できる給気フードを提供することを目的とする。【解決手段】流入開口部１を覆うように集風フード２を複数枚備え、集風フード２の端部に設置したモータ３により集風フード２が動作することで、流入開口部１を覆うことができる構成にしたことにより、雨、雪の時、集風フード２が流入開口部全体を覆った状態の時、雨水が流入開口部１へ浸入することを防止でき、かつ、自然風が流入開口部１へ流入できる通気開口４があり、流入開口部１に雨水が浸入するのを防ぐことができ、屋内への雨水の浸入を防止することができる給気フードを得られる。【選択図】図４
2011047547.tif 000002
【特許請求の範囲】
【請求項１】
外気を流入可能な流入開口部と、前記流入開口部に外気を取り入れる集風フードを備え、前記集風フードは、前記流入開口部を覆う角度を調整でき、前記集風フードが前記流入開口部全体を覆った状態の時、雨水が前記流入開口部へ浸入することを防止でき、かつ、自然風が前記流入開口部へ流入できる通気開口がある給気フード。
【請求項２】
雨を検知する雨検知手段を備え、前記雨検知手段により雨を検知した場合は集風フードが流入開口部全体を覆い、雨水が前記流入開口部へ浸入することを防止でき、かつ、自然風が前記流入開口部へ流入できる通気開口がある請求項１記載の給気フード。
【請求項３】
雨検知手段は、ヒータを備え、雨が前記ヒータに付着した際の温度変化を検知して雨を判断する請求項２記載の給気フード。
【請求項４】
雨検知手段は、導電体を備え、雨が前記導電体に付着した際の抵抗変化を検知して雨を判断する請求項２記載の給気フード。
【請求項５】
外風の風速を検知する風速検知手段を備え、前記風速検知手段により検知した風速に応じて集風フードの流入開口部を覆う角度を調整する請求項１から４のいずれか１項に記載の給気フード。
【請求項６】
風速検知手段によりあらかじめ設定された設定値を超えた場合は集風フードが流入開口部全体を覆い、かつ、自然風が前記流入開口部へ流入できる通気開口がある請求項５記載の給気フード。
【請求項７】
外風の風向を検知する風向検知手段と集風フードを回転させる回転装置を備え、前記風向検知手段により検知した風向に応じて前記回転装置を回転させ前記集風フードの回転角度を調整する請求項１から６のいずれか１項に記載の給気フード。
【請求項８】
風速検知手段は、屋外の風速を検知する風速センサとした請求項５または６に記載の給気フード。
【請求項９】
風速検知手段は、流入開口部を通過する流量を検知する流量センサとした請求項５または６に記載の給気フード。
【請求項１０】
風速検知手段は、流入開口部の下流側に外気を給気する給気装置の負荷により検知する請求項５または６に記載の給気フード。
【請求項１１】
集風フードが流入開口部全体を覆った状態の時、雨水が前記流入開口部へ浸入することを防止でき、かつ、自然風が前記流入開口部へ流入できる通気開口があり、前記集風フード先端が流入開口部よりも鉛直方向で下に位置し、前記集風フードの外周に雨水用溝を備え、雨天時に前記集風フードが前記流入開口部全体を覆った状態の時に、雨水が前記雨水用溝を伝って、前記集風フードの先端より落下し、前記流入開口部に接続している壁面に雨を伝わせないことを特徴とする請求項１から１０のいずれか１項に記載の給気フード。
【請求項１２】
集風フードの動作する面上に防塵ネットを備え、前記集風フードが流入開口部全体を覆っていなくても、虫やごみが前記流入開口部に入ってくるのを防止する請求項１から１１のいずれか１項に記載の給気フード。                    
【請求項１３】
防塵ネットに付着したごみを、集風フードの先端にブラシを付けて、前記集風フードが前記防塵ネット上に接して、覆うように動くことで、前記防塵ネットに付着したごみを掻き落とすことを特徴とする請求項１２記載の給気フード。  
【請求項１４】
流入開口部の上流側に外気を排気する排気装置を備え、風速検知手段は、前記排気装置の負荷により検知する請求項５または６に記載の給気フード。       
【請求項１５】
集風フードに風向案内羽根を備え、この風向案内羽根が自然風を受けることにより前記集風フードが回転し、常時風上に前記集風フードが向く請求項１から１４のいずれか１項に記載の給気フード。
【発明の詳細な説明】
【技術分野】
【０００１】
本発明は、屋根や、壁に取り付けて自然風の取り入れ口として用いられる給気フードに関するものである。
【背景技術】
【０００２】
従来、この種の自然風を取り込む給気フードは、給気開口部と、上流側に流入開口部を備えて、給気開口部より自然風を取り入れるものが知られている。（例えば、特許文献１参照）。
【０００３】
以下、その給気フードについて図１６、図１７を参照しながら説明する。
【０００４】
図１６、図１７に示すように、給気フード１０１の全体構成は給気開口部１０２と給気開口部１０２の上流側に位置する流入開口部１０３と給気フード１０１の上部に風向検知板１０４と給気フード１０１と流入開口部１０３の接続部に回転装置１０５と、流入開口部１０３より流入する風量を調整するダンパー１０６からなる。
【０００５】
上記構成において、自然風は給気開口部１０２から入り、流入開口部１０３を通過して、室内へ供給する。また、積極的に自然風を取り込む場合は風向検知板１０４で検知した風向へ、回転装置１０５により風上に向くことができる。
【先行技術文献】
【特許文献】
【０００６】
【特許文献１】特開平６−２２１６３２号公報（第５頁、第４図、第６図）
【発明の概要】
【発明が解決しようとする課題】
【０００７】
このような従来の給気フードでは、給気開口部１０２が開閉式ではないため、雨天時に雨が流入開口部１０３に浸入してしまう。流入開口部１０３の上流側にダンパー１０６が存在するが、ダンパー１０６を全閉の状態にしても、流入開口部１０３から流入した雨水はダンパー１０６の隙間を通過し、室内に雨水が浸入してしまう。また、自然風を効率よく給気口に誘導するためには、給気開口部１０２を大きくする必要があるが、雨が降った場合に雨水が浸入しやすくなるという課題を有していた。
【０００８】
そこで、本発明は、このような従来の課題を解決するものであり、流入開口部への雨の浸入を防止するために集風フードが流入開口部全体を覆った状態の時、雨水が流入開口部へ浸入することを防止でき、かつ、自然風が流入開口部へ流入できる通気開口がある給気フードを提供することを目的とする。
【課題を解決するための手段】
【０００９】
そして、この目的を達成するために、本発明は、外気を流入可能な流入開口部と、流入開口部に外気を取り入れる集風フードを備え、集風フードは、流入開口部を覆う角度を調整でき、集風フードが流入開口部全体を覆った状態の時、雨水が流入開口部へ浸入することを防止でき、かつ、自然風が流入開口部へ流入できる通気開口がある給気フードとしたものであり、これにより所期の目的を達成するものである。
【発明の効果】
【００１０】
本発明によれば、外気を流入可能な流入開口部と、流入開口部に外気を取り入れる集風フードを備え、集風フードは、流入開口部を覆う角度を調整でき、集風フードが流入開口部全体を覆った状態の時、雨水が流入開口部へ浸入することを防止でき、かつ、自然風が流入開口部へ流入できる通気開口がある構成にしたことにより、雨、雪の時、集風フードが流入開口部全体を覆うことで流入開口部に雨、雪が浸入するのを防ぐことができ、屋内への雨水の浸入を防止することができる。また、集風フードは流入開口部を覆う角度を調整し、自然風を利用して給気を行うことで、換気量を増加させることができるため、送風装置を用いなくても給気でき、送風装置を用いた場合は、省エネルギーにつながり、また、集風フードが流入開口部全体を覆うことで、室内の吹出口の吹出速度が速くなるのを抑制し、不快感をなくすことができる。
【図面の簡単な説明】
【００１１】
【図１】本発明の実施の形態１の給気フードを示す斜視図
【図２】同集風フードの開度を示す側面図
【図３】同集風フード半閉時を示す斜視図
【図４】同集風フード全閉時を示す斜視図
【図５】本発明の実施の形態２の給気フードを示す斜視図
【図６】本発明の実施の形態３の給気フードを示す斜視図
【図７】本発明の実施の形態４の給気フードを示す斜視図
【図８】本発明の実施の形態５の給気フードを示す斜視図
【図９】本発明の実施の形態６の給気フードを示す側面図
【図１０】本発明の実施の形態７の給気フードを示す側面図
【図１１】同雨水排出用穴を示す斜視図
【図１２】本発明の実施の形態８の給気フードを示す側面図
【図１３】本発明の実施の形態９の給気フードを示す側面図
【図１４】本発明の実施の形態１０の給気フードを示す側面図
【図１５】本発明の実施の形態１１の給気フードを示す斜視図
【図１６】従来の給気フードを示す斜視図
【図１７】従来の給気フードを示す側面図
【発明を実施するための形態】
【００１２】
本発明の請求項１記載の給気フードは、外気を流入可能な流入開口部と、流入開口部に外気を取り入れる集風フードを備え、集風フードは、流入開口部を覆う角度を調整でき、集風フードが流入開口部全体を覆った状態の時、雨水が流入開口部へ浸入することを防止でき、かつ、自然風が流入開口部へ流入できる開口があるという構成を有する。これにより、雨、雪の時、集風フードが流入開口部全体を覆うことで流入開口部に雨、雪が浸入するのを防ぐことができ、屋内への雨水の浸入を防止することができ、また、集風フードは流入開口部を覆う角度を調整し、自然風を利用して給気を行うことで、換気量を増加させることができるため、送風装置を用いなくても給気でき、送風装置を用いた場合は、省エネルギーにつながり、また、集風フードが流入開口部全体を覆うことで、室内の吹出口の吹出速度が速くなるのを抑制し、不快感をなくすことができるという効果を奏する。
【００１３】
また、雨を検知する雨検知手段を備え、雨検知手段により雨を検知した場合は、集風フードが流入開口部全体を覆い、雨水が流入開口部へ浸入することを防止でき、かつ、自然風が流入開口部へ流入できる通気開口がある構成にしてもよい。これにより、雨、雪の時、集風フードが流入開口部全体を覆うことで流入開口部に雨、雪が進入するのを防ぐことができるため、屋内への雨水の浸入を防止することができるという効果を奏する。
【００１４】
また、雨検知手段は、ヒータを備え、雨がヒータに付着した際の温度変化を検知して雨を判断するようにした構成にしてもよい。これにより、雨、雪がヒータに付着した際の温度変化を検知して雨、雪を検知した場合は、集風フードが流入開口部全体を覆うことで流入開口部に雨、雪が進入するのを防ぐことができるため、屋内への雨水の浸入を防止することができるという効果を奏する。
【００１５】
また、雨検知手段は、導電体を備え、雨が導電体に付着した際の抵抗変化を検知して雨を判断するようにした構成にしてもよい。これにより、雨、雪が導電体に付着した際の抵抗変化を検知して雨、雪を検知した場合は、集風フードが流入開口部全体を覆うことで流入開口部に雨、雪が浸入するのを防ぐことができるため、屋内への雨水の浸入を防止することができるという効果を奏する。
【００１６】
また、外風の風速を検知する風速検知手段を備え、風速検知手段により検知した風速に応じて集風フードの流入開口部を覆う角度を調整するという構成にしてもよい。これにより、流入風量を調整し、過度な自然風の取り込みを防止するため、室内の吹出口の吹出速度が速くなるのを抑制し、不快感をなくすことができるという効果を奏する。
【００１７】
また、風速検知手段によりあらかじめ設定された設定値を超えた場合は、集風フードが流入開口部全体を覆い、かつ、自然風が流入開口部へ流入できる通気開口がある構成にしてもよい。これにより、過度な自然風の取り込みを防止するため、室内の吹出口の吹出速度が速くなるのを抑制し、不快感をなくすことができるという効果を奏する。
【００１８】
また、外風の風向を検知する風向検知手段と集風フードを回転させる回転装置を備え、風向検知手段により検知した風向に応じて集風フードの回転角度を調整する構成にしてもよい。これにより、強風の場合、風下に向き過度な自然風の取り込みを防止するため、室内の吹出口の吹出速度が速くなるのを抑制し、不快感をなくすことができるという効果を奏する。
【００１９】
また、風速検知手段は、屋外の風速を検知する風速センサとした構成にしてもよい。これにより、外風の風速を検知し、過度な自然風の取り込みを防止するため、室内の吹出口の吹出速度が速くなるのを抑制し、不快感をなくすことができるという効果を奏する。
【００２０】
また、風速検知手段は、流入開口部を通過する風量を検知する風量センサとした構成にしてもよい。これにより、流入開口部から流入する外気の流量を検知し、過度な自然風の取り込みを防止するため、室内の吹出口の吹出速度が速くなるのを抑制し、不快感をなくすことができるという効果を奏する。
【００２１】
また、風速検知手段は、流入開口部の下流側に外気を給気する給気装置の負荷により検知するという構成にしてもよい。給気装置の負荷により流入開口部から流入する外気の流量を検知し、過度な自然風の取り込みを防止するため、室内の吹出口の吹出速度が速くなるのを抑制し、不快感をなくすことができるという効果を奏する。
【００２２】
また、集風フードが流入開口部全体を覆った状態の時、雨水が流入開口部へ浸入することを防止でき、かつ、自然風が流入開口部へ流入できる通気開口があり、集風フード先端が流入開口部よりも鉛直方向で下に位置し、集風フードの外周に雨水用溝を備え、雨天時に集風フードが流入開口部全体を覆った状態の時に、雨水が雨水用溝を伝って、集風フードの先端より落下し、流入開口部に接続している壁面に雨を伝わせない構成にしてもよい。これにより、フードの表面に受ける雨を集風フード先端から落下させ、壁面へ伝わるのを防止するため、壁面が汚れることを防止するという効果を奏する。
【００２３】
また、集風フードの動作する面上に防塵ネットを備え、集風フードが流入開口部全体を覆っていなくても、虫やごみが流入開口部に入ってくるのを防止するという構成にしてもよい。これにより、集風フードが流入開口部全体を覆っていなくても、流入開口部は防塵ネットで覆われているため、流入開口部へのごみの侵入を防止することができるという効果を奏する。
【００２４】
また、防塵ネットに付着したごみを、集風フードの先端にブラシを付けて、集風フードが防塵ネット上に接して、覆うように動くことで、防塵ネットに付着したごみを掻き落とすという構成にしてもよい。これにより、防塵ネットに付着したゴミを集風フード先端のブラシで掻き落とすため、防塵ネットに付着したゴミによる通風抵抗の増加を抑制することができるという効果を奏する。
【００２５】
また、風速検知手段は、流入開口部の上流側に外気を排気する排気装置の負荷により検知するという構成にしてもよい。これにより、排気装置の負荷の増大に応じて、集風フードが流入開口部を覆う角度を調整し、外気の流入による排気装置の負荷の増大を防止し、排気装置の消費電力の低減させることができるという効果を奏する。
【００２６】
また、集風フードに風向案内羽根を備え、自然風により集風フードが回転し、常時風上に集風フードが向くという構成にしてもよい。これにより、自然風を検知して風上に向き、自然風を利用して給気を行うことで、換気量を増加させることができるため、送風装置を用いなくても給気でき、送風装置を用いた場合は、省エネルギーにつながるという効果を奏する。
【００２７】
以下、本発明の実施の形態について図面を参照しながら説明する。
【００２８】
（実施の形態１）                    
図１〜図４に示すように、給気フードは、屋根、または、壁面にある、流入開口部１に取り付け、流入開口部１を覆うように集風フード２を複数枚備え、集風フード２の端部に設置したモータ３により集風フード２が流入開口部１を覆うように動作することで、流入開口部１を覆うことができ、集風フード２が流入開口部１全体を覆った状態の時、雨水が流入開口部１へ浸入することを防止でき、かつ、自然風が流入開口部１へ流入できる開口があるという構成になっている。
【００２９】
図２のように、集風フードの角度θを流入開口部１の水平面からの角度で定義する。この例では、流入開口部直径１００ｍｍで集風フードの半径は２００ｍｍであり、集風フード２の枚数は５枚で、集風フードが流入開口部１全体を覆うとθ＝２２５°となる。図３では、モータ３により、集風フード２が１枚動き、θ＝９０°となる。図４では、モータ３により、集風フード２が４枚動き、θ＝２２５°となる。
【００３０】
モータ３により集風フード２の流入開口部１を覆う角度が変化し、自然風に垂直な面への集風フード２の開口面の投影面積が変化し、自然風に垂直な面への集風フード２の開口面の投影面積が大きいほど自然風の取り入れ量が多くなるので、集風フード２が流入開口部１を覆う角度が変化することにより外気の取り入れ量を調整することができる。
【００３１】
図４のように、流入開口部１を２２５°覆った時、自然風が流入開口部１に流れる通路、つまり、通気開口４があり、集風フード２で流入開口部１を覆った状態にしても通気開口４より自然風が流入開口部１へ流入可能である。
【００３２】
例えば、流入開口部１が屋根にある場合は、集風フード２は、流入開口部１をθ＝２２５°まで覆うことで、流入開口部１の入り口の水平面より４５度下方に集風フード２がくるため、雨を集風フード外周で受けることができ、直接流入開口部１に浸入することを防ぐことができ、かつ、空気は通気開口４を通過して、流入開口部１へ流入可能である。
【００３３】
また、例えば、流入開口部１が壁面にある場合は、集風フード２は、流入開口部１をθ＝１３５°まで覆うことで、流入開口部１の入り口の水平面より４５度下方に集風フード２がくるため、雨を集風フード２の外周で受けることができ、直接流入開口部１に浸入することを防ぐことができ、かつ、空気は通気開口４を通過して、流入開口部１へ流入可能である。
【００３４】
流入開口部１が鉛直方向、例えば、屋根、または、流入開口部１が水平方向、例えば、壁面、のどちらの方向に流入開口部１があっても、集風フード２を水平面から４５°下方まで、流入開口部１を覆うことで、雨を集風フード２の外周で受けることができ、雨水の流入開口部１への浸入を防ぐことができ、かつ、通気開口４があるため、流入開口部１からの給気が可能である。
【００３５】
このような構成によれば、雨、雪の時、集風フード２が流入開口部１全体を覆うことで流入開口部１に雨、雪が浸入するのを防ぐことができ、屋内への雨水の浸入を防止することができ、また、集風フード２は流入開口部１を覆う角度を調整し、自然風を利用して給気を行うことで、換気量を増加させることができるため、送風装置を用いなくても給気でき、送風装置を用いた場合は、省エネルギーにつながり、また、集風フード２が流入開口部１全体を覆うことで、室内の吹出口の吹出速度が速くなるのを抑制し、不快感をなくすことができる。
【００３６】
（実施の形態２）          
図５において、実施の形態１と同一の部分は同一符号を付し、その詳細な説明は省略する。
【００３７】
図５において、集風フード２の外側に雨を検知する雨検知手段として、雨センサ５を備え、雨天時には、雨センサ５が雨を検知して、モータ３が動き、集風フード２が流入開口部１全体を覆った状態になり、雨水が流入開口部へ浸入することを防止でき、かつ、自然風が流入開口部１へ流入できる通気開口４があるという構成になっている。
【００３８】
なお、この雨センサ５は、ヒータを備え、ヒータに付着した際の温度変化を検知して雨を判断するものでもよく、または、導電体を備え、雨が導電体に付着した際の抵抗変化を検知して雨を判断するものでもよい。雨、雪の時、集風フード２が流入開口部１全体を覆うことで流入開口部１に雨、雪が浸入するのを防ぐことができ、屋内への雨水の浸入を防止することができる。    
【００３９】
（実施の形態３）
図６において、実施の形態１と同一の部分は同一符号を付し、その詳細な説明は省略する。
【００４０】
図６において、集風フード２の上部に外風の風速を検知する風速検知手段として、風速センサ６を備え、風速センサは、例えば、風車型、または超音波式、または熱線式の風速センサであり、風速が１０ｍ／ｓ以上の風速になると、モータ３が動き、集風フード２が流入開口部１の全体を覆い、集風フード２が流入開口部１全体を覆った状態の時、雨水が流入開口部へ浸入することを防止でき、かつ、自然風が流入開口部へ流入できる開口があるという構成になっている。また、風速センサ６の風速に反応して、集風フード２の閉じる角度θが変化する、例えば、集風フード２が流入開口部１の全体を覆った状態を集風フードの角度θ＝２２５°とし、風速０ｍ／ｓの時は、集風フードの角度θ＝４５°で風速１０ｍ／ｓの時にθ＝２２５°となるように１ｍ／ｓごとにθ＝１８°閉じることで、過度な自然風の取り込みを防止するため、室内の吹出口の吹出速度が速くなるのを抑制し、不快感をなくすことができる。
【００４１】
（実施の形態４）
図７において、実施の形態１及び、実施の形態３と同一の部分は同一符号を付し、その詳細な説明は省略する。
【００４２】
図７において、集風フードを回転させるための回転装置７があり、風向検知手段として風速センサ６を備え、風速センサの検知した風向により回転角度を調整するという構成なっている。風上を基準として、集風フードの回転角度δを定義すると、例えば、風速が１０ｍ／ｓになると風下、つまり回転角度δ＝１８０°になるように、１ｍ／ｓにつき１８°回転し、過度な自然風の取り込みを防止するため、室内の吹出口の吹出速度が速くなるのを抑制し、不快感をなくすことができる。
【００４３】
（実施の形態５）
図８において、実施の形態１と同一の部分は同一符号を付し、その詳細な説明は省略する。
【００４４】
図８において、風速検知手段として、流入開口部１を通過する空気の流量を測定する流量センサ８が流入開口部１の下流側にあり、流量センサ８の空気の流量に反応して、集風フード２の閉じる角度θが変化するという構成になっている。例えば、集風フード２が流入開口部１の全体を覆った角度をθ＝２２５°とし、流量０ｍ３／ｈの時は、集風フードの角度θ＝４５°で流量９０ｍ３／ｈの時にθ＝２２５°となるように１ｍ３／ｈごとにθ＝２°閉じ、過度な自然風の取り込みを防止するため、室内の吹出口の吹出速度が速くなるのを抑制し、不快感をなくすことができる。
【００４５】
（実施の形態６）
図９において、実施の形態１と同一の部分は同一符号を付し、その詳細な説明は省略する。
【００４６】
図９において、風速検知手段として、流入開口部１の上流側に給気ファン９を備え、給気ファン９の消費電力に反応して、集風フード２の流入開口部１を覆う角度θが変化するという構成になっている。自然風流入により給気ファンの消費電力が低下していき、過度な自然風の取り込みは、室内の吹出口の吹出速度が速くなり、不快感が出る。例えば、集風フード２が流入開口部１の全体を覆った角度をθ＝２２５°とし、給気ファン９の消費電力１０％低下までは、集風フードの角度θ＝４５°で消費電力１００％低下の時にθ＝２２５°となるように消費電力１０ポイント低下ごとにθ＝２０°閉じ、過度な自然風の取り込みを防止するため、室内の吹出口の吹出速度が速くなるのを抑制し、不快感をなくすことができる。
【００４７】
（実施の形態７）
図１０、図１１において、実施の形態１と同一の部分は同一符号を付し、その詳細な説明は省略する。
【００４８】
図１０、図１１において、壁１０に給気フードを設置し、集風フード２前端に雨水用溝１１を設け、図１１のように雨水排出用穴１２を備え、集風フード２が流入開口部１の全体を覆った時に雨水は壁１０を伝わることなく、雨水用溝１１を通り雨水排出用穴１２から落下するという構成になっている。図１０のように、集風フード２の角度γを壁面からの角度で定義すると、例えば、集風フード２が流入開口部１の全体を覆った状態を集風フード２の角度γ＝１３５°とし、雨天時に集風フード２が流入開口部１の全体を覆った時、集風フード２の表面に受けた雨は、雨水用溝１１を伝わり、鉛直方向で一番下方に位置する雨水排出用穴１２より落下し、壁１０に雨水を伝わる雨水が壁面から伝わって落ちるのを防止し、壁面が汚れることを防止する。
【００４９】
（実施の形態８）
図１２において、実施の形態１と同一の部分は同一符号を付し、その詳細な説明は省略する。
【００５０】
図１２において、集風フード２の動作する面上に防塵ネット１３を備え、流入開口部１に流入する空気はすべて防塵ネット１３を通過し、集風フード２が流入開口部１の全体を覆っていない状態であっても、虫やごみの侵入を防止することができる。
【００５１】
（実施の形態９）
図１３において、実施の形態１及び、実施の形態８と同一の部分は同一符号を付しその詳細な説明は省略する。
【００５２】
図１３において、集風フード２の先端にブラシ１４を備え、防塵ネット１３上を集風フード２が防塵ネット上に接して、覆うように動くことで、防塵ネット１３に付着したゴミをブラシ１４が掻き落とし、防塵ネットに付着したゴミによる通風抵抗の増加を抑制することができる。
【００５３】
（実施の形態１０）
図１４において、実施の形態１と同一の部分は同一符号を付し、その詳細な説明は省略する。
【００５４】
図１４において、流入開口部１の下流側に排気ファン１５を備え、排気ファン１５の消費電力に反応して、集風フード２が流入開口部１を覆う角度θが変化する構成になっている。自然風流入により排気ファン１５の消費電力が上昇する。例えば、集風フード２が流入開口部１を全部覆った状態を集風フードの角度θ＝２２５°とし、排気ファン１５の消費電力１０％上昇でθ＝２２５°となるように消費電力１ポイント上昇ごとにθ＝１８°閉じ、外気の流入による排気装置の負荷の増大を防止し、排気装置の消費電力の低減させることができる。
【００５５】
（実施の形態１１）
図１５において、実施の形態１及び、実施の形態４と同一の部分は同一符号を付し、その詳細な説明は省略する。
【００５６】
図１５において、集風フード２に風向案内羽根１６を備え、自然風により風向案内羽根１６が風上に向くようになっており、集風フード２が回転装置７により回転し、常時風上に集風フード２が向くことで、積極的に自然風を取り入れ、自然風を利用して給気を行うことで、換気量を増加させることができるため、送風装置を用いなくても給気でき、送風装置を用いた場合は、省エネルギーにつながる。
【産業上の利用可能性】
【００５７】
本発明にかかる給気フードは、自然風を利用して給気ができ、雨天時の雨水の室内への侵入を防ぐことができるので、屋外の給気用フードまたは、排気用フードに適用できる。
【符号の説明】
【００５８】
１    流入開口部          
２    集風フード          
３    モータ
４    通気開口    
５    雨センサ
６    風速センサ
７    回転装置
８    流量センサ          
９    給気ファン
１０  壁
１１  雨水用溝                        
１２  雨水排出用穴
１３  防塵ネット          
１４  ブラシ
１５  排気ファン          
１６  風向案内羽根
【図１】
2011047547.tif 000003
【図２】
2011047547.tif 000004
【図３】
2011047547.tif 000005
【図４】
2011047547.tif 000006
【図５】
2011047547.tif 000007
【図６】
2011047547.tif 000008
【図７】
2011047547.tif 000009
【図８】
2011047547.tif 000010
【図９】
2011047547.tif 000011
【図１０】
2011047547.tif 000012
【図１１】
2011047547.tif 000013
【図１２】
2011047547.tif 000014
【図１３】
2011047547.tif 000015
【図１４】
2011047547.tif 000016
【図１５】
2011047547.tif 000017
【図１６】
2011047547.tif 000018
【図１７】
2011047547.tif 000019